(57)【要約】【課題】分電盤において分岐される支幹数が多い場合などにおいても、項目ごとの消費電力を示す画像の視認性を向上させる。【解決手段】本発明に係る管理装置１２は、電力需要家における項目ごとの消費電力に関する画像を生成する管理装置１２であって、ユーザが指定した項目の情報を受信する受信部２３と、ユーザが指定した項目の数が所定数未満である場合は、ユーザが指定した項目に消費電力が上位の項目を加えて所定数とした項目についての消費電力を示す画像を作成する制御部２４とを備える。【選択図】図１
2014023219.tif 000002
【特許請求の範囲】
【請求項１】
電力需要家における項目ごとの消費電力に関する画像を生成する管理装置であって、
ユーザが指定した項目の情報を受信する受信部と、
前記ユーザが指定した項目の数が所定数未満である場合は、前記ユーザが指定した項目に消費電力が上位の項目を加えて前記所定数とした項目についての消費電力を示す画像を作成する制御部と
を備えることを特徴とする管理装置。
【請求項２】
請求項１に記載の管理装置であって、
前記電力需要家の分電盤における複数の支幹ごとの消費電力を前記項目ごとの消費電力として扱うことを特徴とする管理装置。
【請求項３】
請求項１または２に記載の管理装置であって、
前記制御部は、前記ユーザが指定した項目の数が前記所定数と等しい場合には、前記ユーザが指定した項目についての消費電力だけを示す画像を作成する
ことを特徴とする管理装置。
【請求項４】
請求項１から３のいずれか一項に記載の管理装置であって、
前記画像はグラフ画像であり、前記所定数の項目ごとの消費電力を同一座標上に一緒にグラフ表示する
ことを特徴とする管理装置。
【請求項５】
請求項１から４のいずれか一項に記載の管理装置であって、
電力需要家における項目ごとに識別情報が付与され、複数の識別情報の中から選択された識別情報に対応する項目を、前記ユーザが指定した項目として扱うことを特徴とする管理装置。
【請求項６】
電力需要家における項目ごとの消費電力に関する画像を表示する表示装置であって、
前記消費電力に関する画像を表示する表示部と、
前記画像に対してユーザが指定した項目の情報の入力を検出する入力検出部と、
前記ユーザが指定した項目の数が所定数未満である場合は、前記ユーザが指定した項目に消費電力が上位の項目を加えて前記所定数とした項目についての消費電力を示す画像を作成する制御部と
を備えることを特徴とする表示装置。
【請求項７】
電力需要家における項目ごとの消費電力に関する画像を表示する表示方法であって、
前記画像に対してユーザが指定した項目の情報の入力を検出するステップと、
前記ユーザが指定した項目の数が所定数未満である場合は、前記ユーザが指定した項目に消費電力が上位の項目を加えて前記所定数とした項目についての消費電力を示す画像を作成する作成ステップと、
前記作成ステップで作成した前記消費電力を示す画像を表示するステップと
を備える表示方法。
【請求項８】
電力需要家における項目ごとの消費電力に関する画像を表示させる画像作成プログラムであって、
コンピュータに、
前記画像に対してユーザが指定した項目の情報の入力を検出するステップと、
前記ユーザが指定した項目の数が所定数未満である場合は、前記ユーザが指定した項目に消費電力が上位の項目を加えて前記所定数とした項目についての消費電力を示す画像を作成する作成ステップと、
前記作成ステップで作成した前記消費電力を示す画像を表示するステップと
を実行させるための画像作成プログラム。
【発明の詳細な説明】
【技術分野】
【０００１】
本発明は、変量を監視および制御する管理装置、表示装置、当該表示装置の表示方法、および当該管理装置を機能させる画像作成プログラムに関するものである。
【背景技術】
【０００２】
近年、電力需要家ごとに設けられる電力管理装置（例えば、ＨＥＭＳ：Ｈｏｍｅ  Ｅｎｅｒｇｙ  Ｍａｎａｇｅｍｅｎｔ  Ｓｙｓｔｅｍ）によって、電力需要家に設けられる負荷機器や電力需要家に設けられる分散電源などを制御する技術が知られている（特許文献１参照）。電力管理装置は、電力管理装置が制御または監視する負荷機器の消費電力量、分散電力の発電電力量、および商用電源からの供給電力量などの様々な電力量の時間変化を示すグラフ画像を作成可能である。
【０００３】
例えば消費電力については、電力管理装置は、分電盤で複数に分岐される支幹ごとに消費電力の履歴を示すグラフ画像を作成し表示させることができる。これにより、電力需要家は消費電力が上位の（消費電力が大きい）支幹を確認することができる。
【先行技術文献】
【特許文献】
【０００４】
【特許文献１】特開２００３−３０９９２８号公報
【発明の概要】
【発明が解決しようとする課題】
【０００５】
電力需要家にとって、項目ごと（支幹ごと、あるいは負荷機器ごと）の消費電力の履歴を示すグラフ画像を監視し、消費電力が上位の項目を確認できることは、節電対策を検討する上で有益である。しかしながら、項目の数が多い場合などは、全ての項目についてグラフを表示するとグラフの視認性が著しく低下するおそれがある。
【０００６】
したがって、かかる点に鑑みてなされた本発明の目的は、項目の数が多い場合などにおいても、項目ごとの消費電力を示す画像の視認性を向上させることができる管理装置、表示装置、表示方法、および画像作成プログラムを提供することにある。
【課題を解決するための手段】
【０００７】
上記目的を達成する第１の観点に係る管理装置の発明は、
電力需要家における項目ごとの消費電力に関する画像を生成する管理装置であって、
ユーザが指定した項目の情報を受信する受信部と、
前記ユーザが指定した項目の数が所定数未満である場合は、前記ユーザが指定した項目に消費電力が上位の項目を加えて前記所定数とした項目についての消費電力を示す画像を作成する制御部と
を備えることを特徴とする。
【０００８】
第２の観点に係る発明は、第１の観点に係る管理装置であって、前記電力需要家の分電盤における複数の支幹ごとの消費電力を前記項目ごとの消費電力として扱うことを特徴とする。
【０００９】
第３の観点に係る発明は、第１または第２の観点に係る管理装置であって、前記制御部は、前記ユーザが指定した項目の数が前記所定数と等しい場合には、前記ユーザが指定した項目についての消費電力だけを示す画像を作成する
ことを特徴とする。
【００１０】
第４の観点に係る発明は、第１から第３のいずれかの観点に係る管理装置であって、前記画像はグラフ画像であり、前記所定数の項目ごとの消費電力を同一座標上に一緒にグラフ表示する
ことを特徴とする。
【００１１】
第５の観点に係る発明は、第１から第４のいずれかの観点に係る管理装置であって、
電力需要家における項目ごとに識別情報が付与され、複数の識別情報の中から選択された識別情報に対応する項目を、前記ユーザが指定した項目として扱うことを特徴とする。
【００１２】
上記目的を達成する第６の観点に係る表示装置の発明は、
電力需要家における項目ごとの消費電力に関する画像を表示する表示装置であって、
前記消費電力に関する画像を表示する表示部と、
前記画像に対してユーザが指定した項目の情報の入力を検出する入力検出部と、
前記ユーザが指定した項目の数が所定数未満である場合は、前記ユーザが指定した項目に消費電力が上位の項目を加えて前記所定数とした項目についての消費電力を示す画像を作成する制御部と
を備えることを特徴とする。
【００１３】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１４】
例えば、本発明を方法として実現させた第７の観点に係る表示方法の発明は、
電力需要家における項目ごとの消費電力に関する画像を表示する表示方法であって、
前記画像に対してユーザが指定した項目の情報の入力を検出するステップと、
前記ユーザが指定した項目の数が所定数未満である場合は、前記ユーザが指定した項目に消費電力が上位の項目を加えて前記所定数とした項目についての消費電力を示す画像を作成する作成ステップと、
前記作成ステップで作成した前記消費電力を示す画像を表示するステップと
を備える。
【００１５】
また、本発明をプログラムとして実現させた第８の観点に係る画像作成プログラムの発明は、
電力需要家における項目ごとの消費電力に関する画像を表示させる画像作成プログラムであって、
コンピュータに、
前記画像に対してユーザが指定した項目の情報の入力を検出するステップと、
前記ユーザが指定した項目の数が所定数未満である場合は、前記ユーザが指定した項目に消費電力が上位の項目を加えて前記所定数とした項目についての消費電力を示す画像を作成する作成ステップと、
前記作成ステップで作成した前記消費電力を示す画像を表示するステップと
を実行させる。
【発明の効果】
【００１６】
本発明によれば、項目の数が多い場合などにおいても、項目ごとの消費電力を示す画像の視認性を向上させることができる管理装置、表示装置、表示方法、および画像作成プログラムを提供することができる。
【図面の簡単な説明】
【００１７】
【図１】本発明の第１の実施形態に係る電力制御システムの概略構成を示すブロック図である。
【図２】図１における表示装置の概略構成を示す機能ブロック図である。
【図３】図１における管理装置の概略構成を示す機能ブロック図である。
【図４】消費電力の上位５支幹を示すグラフ画像の一例である。
【図５】消費電力の上位５支幹を示すグラフ画像の他の例である。
【図６】ユーザ指定として４つの支幹を指定している場合のグラフ画像の一例である。
【図７】第１の実施形態において管理装置の制御部が実行する処理を示すフローチャートである。
【図８】本発明の第２の実施形態に係る電力制御システムの概略構成を示すブロック図である。
【図９】図８における表示装置の概略構成を示す機能ブロック図である。
【図１０】図８における管理装置の概略構成を示す機能ブロック図である。
【図１１】第２の実施形態において表示装置の制御部が実行する処理を示すフローチャートである。
【発明を実施するための形態】
【００１８】
以下、本発明に係る実施形態について、図面を参照して説明する。
【００１９】
まず、第１の実施形態に係る電力制御システムについて説明する。本実施形態に係る電力制御システムは、電力系統（商用電源）から供給される電力の他に、例えば太陽光発電などによって電力を供給するシステム、および電力を充放電することができる蓄電池システムのうち少なくとも一方を備えるようにするのが好適である。
【００２０】
また、電力を供給するシステムは、太陽光発電によって電力を供給するシステムに限定されるものではなく、例えばＳＯＦＣ（Solid Oxide Fuel Cell）などの燃料電池を含む燃料電池システムなど、種々の発電システムとすることができる。以下説明する本実施形態においては、発電システムとして太陽光発電システムを備え、さらに蓄電池システムとして蓄電部を備える例について説明する。
【００２１】
図１は、本実施形態に係る電力制御システムの概略構成を示す機能ブロック図である。図１に示すように、本実施形態に係る電力制御システム１０は、表示装置１１、管理装置１２、スマートメータ１３、パワーコンディショナ１４、太陽光発電システム１５、および蓄電部１６を含んで構成される。
【００２２】
図１において、各機能ブロックを結ぶ実線は、電力の流れを表す。また、図１において、各機能ブロックを結ぶ破線は、制御信号または通信される情報の流れを表す。当該破線が示す通信は有線通信としてもよいし、無線通信としてもよい。
【００２３】
制御信号および情報の通信には、様々な方式を採用可能である。例えば、管理装置１２と、表示装置１１、スマートメータ１３、およびパワーコンディショナ１４との通信には、ＺｉｇＢｅｅ（登録商標）などの近距離通信方式による通信を採用することができる。また、管理装置１２と負荷機器１８との通信には、赤外線通信、電力線搬送通信（ＰＬＣ：Ｐｏｗｅｒ  Ｌｉｎｅ  Ｃｏｍｍｕｎｉｃａｔｉｏｎ）、ＺｉｇＢｅｅ、Ｅｃｈｏｎｅｔ（登録商標）など、種々の方式による通信を採用することができる。
【００２４】
電力制御システム１０は、商用電源５０から供給される電力の他、太陽光発電システム１５が発電する電力、および蓄電部１６に充電された電力のうち放電された電力を、負荷機器１８に供給可能である。
【００２５】
表示装置１１は、管理装置１２が作成する消費電力の履歴を示すグラフ画像を表示する。表示装置１１の構成についての詳細は後述する。
【００２６】
管理装置１２は、図１に示す電力制御システム１０における各機器の電力を制御および管理する。また、管理装置１２は、消費電力の履歴を示すグラフ画像を作成する。管理装置１２の構成についての詳細は後述する。
【００２７】
スマートメータ１３は、商用電源５０に接続されて、商用電源５０から供給される電力を計測する。また、スマートメータ１３は、分電盤１７にも接続されて、太陽光発電システム１５が発電してパワーコンディショナ１４から分電盤１７を介して電力会社に売電する電力を計測する。スマートメータ１３は、計測した電力を、管理装置１２に通知可能である。
【００２８】
また、スマートメータ１３は、系統ＥＭＳ（Ｅｎｅｒｇｙ  Ｍａｎａｇｅｍｅｎｔ  Ｓｙｓｔｅｍ）６０から、例えば電力に関する予測などの情報を受信可能である。ここで、系統ＥＭＳ６０は、電力に関する各種の予測および制御などを行う設備であり、一般的には、例えば電力会社などに設置される。系統ＥＭＳ６０は、例えばＭＤＭＳ（メータデータマネジメントシステム）を構成するものを採用可能である。この系統ＥＭＳ６０は、各種の電力に関する情報を記憶するデータベース６１を有しており、スマートメータ１３が計測した結果の情報を収集して蓄積することもできる。また、系統ＥＭＳ６０は、ネットワーク７０に接続可能である。
【００２９】
パワーコンディショナ１４は、太陽光発電システム１５および蓄電部１６から供給される直流の電力を、交流の電力に変換する。パワーコンディショナ１４は、変換した交流の電力を、分電盤１７で複数に分岐した支幹を介して各負荷機器１８に供給する。また、パワーコンディショナ１４は、太陽光発電システム１５が発電した電力に余剰がある場合には、変換した交流の電力を、分電盤１７を介して電力会社に売電することもできる。また、パワーコンディショナ１４は、商用電源５０から供給される交流の電力を、蓄電部１６に充電するための直流の電力に変換可能である。
【００３０】
太陽光発電システム１５は、太陽光を利用して発電する。このため、太陽光発電システム１５は、太陽電池を備えており、太陽光のエネルギーを直流の電力に変換する。本実施形態において、太陽光発電システム１５は、例えば家の屋根などにソーラパネルを設置して、太陽光を利用して発電するような態様を想定している。しかしながら、本発明において、太陽光発電システム１５は、太陽光のエネルギーを電力に変換できるものであれば、任意のものを採用することができる。
【００３１】
太陽光発電システム１５が発電する電力は、上述したように、パワーコンディショナ１４によって交流に変換されてから、各負荷機器１８へ供給、および／または、電力会社に売電可能である。また、太陽光発電システム１５が発電した電力により、蓄電部１６が充電可能であってもよく、さらには直流のまま負荷機器１８に供給される構成であってもよい。
【００３２】
蓄電部１６は、蓄電池を備えており、この蓄電池に充電された電力を放電することにより、電力を供給可能である。また、蓄電部１６は、商用電源５０または太陽光発電システム１５等から供給される電力を充電可能である。図１に示すように、蓄電部１６から放電される電力も、各負荷機器１８に供給可能である。
【００３３】
分電盤１７は、供給される電力を複数の支幹に分岐させて各負荷機器１８に分配する。ここで、各支幹には、消費電力の大きい代表的な負荷機器が直接接続されるものと、部屋ごとにまとめられたものとがある。前者における負荷機器は、例えばエアコン、冷蔵庫、ＩＨクッキングヒータなどである。後者における負荷機器は、各部屋にいくつか設けられているコンセントに接続される負荷機器であり、どのような負荷機器がコンセントに接続されるかは不定である。
【００３４】
図１において、電力制御システム１０に接続される負荷機器１８は、任意の数とすることができる。これらの負荷機器１８は、例えば、テレビ、エアコン、冷蔵庫など、種々の電化製品である。これらの負荷機器１８は分電盤１７を介してパワーコンディショナ１４に接続されて、電力が供給される。
【００３５】
次に、本実施形態に係る表示装置１１について、さらに説明する。
【００３６】
図２は、本実施形態に係る表示装置１１の概略構成を示す機能ブロック図である。表示装置１１は、専用に設計された端末とする他、モバイル端末、パソコン（ＰＣ）、ノートパソコン、またはタブレットＰＣなどにアプリケーションソフトウェアをインストールしたものとするなど、各種の端末とすることができる。表示装置１１は、表示部１９、入力検出部２０、制御部２１、およびインターフェース２２を含んで構成される。
【００３７】
表示部１９は、例えば液晶ディスプレイ（ＬＣＤ）または有機ＥＬディスプレイ等により構成することができる。また、本実施形態において、表示部１９は、単色表示またはグレイスケールによって表示するものを用いることもできるが、一般のユーザが一見して容易に把握できるような態様で表示を行うために、カラー表示に対応したものを用いるのが好適である。
【００３８】
表示部１９は、管理装置１２が作成する消費電力の履歴を示すグラフ画像を表示する。また、表示部１９は、管理装置１２の有する機能を実行させるための様々な入力を受付けるための画像を表示可能である。
【００３９】
入力検出部２０は、表示部１９における表示に対応する入力を検出する。入力検出部２０は、例えばタッチパネルであり、ユーザが指などにより直接触れる操作を検出可能である。また、入力検出部２０は、マルチタッチ、すなわち、入力検出部２０の接触検出面上の複数の箇所への接触を検出可能である。
【００４０】
タッチパネルは透過性の部材により形成され、表示部１９の前面に重ねて配置される。このような構成により、表示部１９に表示したアイコンのオブジェクトなどへの接触を検出可能である。したがって、このような構成のタッチパネルによる入力検出部２０は、ユーザに直感的な操作性を提供可能である。また、もちろんタッチパネルではなく、物理キーを有するタイプの操作手段を入力検出部２０として採用してもよい。
【００４１】
制御部２１は、表示装置１１を構成する各機能部を制御することにより、表示装置１１全体を制御および管理する。制御部２１による、本実施形態に特有の制御については後述する。
【００４２】
インターフェース２２は、例えば管理装置１２と無線通信を行う。すなわち、インターフェース２２は管理装置１２に制御信号および／または情報を送信するとともに、管理装置１２からの制御信号および／または情報を受信する。インターフェース２２は、表示装置１１が有線通信で管理装置１２と通信する場合は、管理装置１２に接続されたケーブルを表示装置１１に接続するためのコネクタのレセプタクルとすることができる。
【００４３】
次に、本実施形態に係る管理装置１２について、さらに説明する。
【００４４】
図３は、本実施形態に係る管理装置１２の概略構成を示す機能ブロック図である。管理装置１２は、例えばＨＥＭＳであって、受信部２３および制御部２４を含んで構成される。
【００４５】
受信部２３は、例えばインターフェースであり、表示装置１１、スマートメータ１３、パワーコンディショナ１４、および負荷機器１８との間における制御部２４からの制御信号および様々な情報を送受信する。
【００４６】
例えば、受信部２３は、スマートメータ１３から、商用電源５０の買電の電力および／または売電の電力を取得可能である。さらに、受信部２３は、スマートメータ１３を介して例えば電力会社などから需要応答（Ｄｅｍａｎｄ  Ｒｅｓｐｏｎｓｅ：ＤＲ）の情報を取得可能である。また、受信部２３は、パワーコンディショナ１４から、太陽光発電システム１５、蓄電部１６、および商用電源５０から分電盤１７で複数に分岐した支幹を介して負荷機器１８に供給される電力について、各支幹に設けたセンサを介して取得可能である。また、受信部２３は、パワーコンディショナ１４から、蓄電部１６に充電される電力（つまり充電電力）量についても直接取得可能である。また、受信部２３は、各負荷機器１８から消費電力についても直接取得可能である。また、受信部２３は、ネットワーク７０から多様な情報を取得可能である。
【００４７】
さらに、受信部２３は表示装置１１から制御信号を取得可能であり、また受信部２３は表示装置１１に電力制御システム１０における電力の制御および管理の状態を示す情報を通知する。
【００４８】
制御部２４は、受信部２３が取得する様々な情報に基づいて、電力制御システム１０における各機器の電力を制御する制御信号および／または表示装置１１に通知する情報を生成する。また、制御部２４は、電力制御システム１０における各機器の電力を管理するために、受信部２３が取得する情報を蓄積する。
【００４９】
制御部２４は収集した各種の情報を蓄積するために、データベース２５を有している。データベース２５は、任意のメモリ装置などにより構成することができ、管理装置１２の外部に接続されるようにしてもよいし、管理装置１２に内蔵されるようにしてもよい。
【００５０】
制御部２４は、受信部２３が取得する電力の瞬時値を瞬時値のままデータベース２５に蓄積する。また、制御部２４は、瞬時値に基づいて、電力の積算値を算出する。制御部２４は、算出した積算値を、瞬時値とは別にデータベース２５に蓄積する。
【００５１】
制御部２４は、支幹ごとの消費電力あるいは直接通信可能な負荷機器１８から得た消費電力の履歴を示すグラフ画像を作成する。また、制御部２４は、項目ごと（支幹ごと、あるいは直接通信可能な負荷機器ごと）に予め「エアコン」および「冷蔵庫」など、カテゴリが決まっている支幹や負荷機器については直接その名称を付け、部屋ごとのコンセントがまとめられた支幹についてはその部屋の名称をつけて記憶しておく。
【００５２】
次に、本実施形態に係る管理装置１２の制御部２４が作成するグラフ画像の具体例を説明する。
【００５３】
制御部２４は、項目ごとの消費電力の履歴を示すグラフ画像の一例として、図４に示すような画像を作成する。図４の例は、制御部２４が、消費電力が上位５つの項目について、消費電力の履歴を示すグラフ画像を作成したものである。なお項目の数を５つとしたのはあくまで一例であり、所定の数であってよい。
【００５４】
制御部２４が作成するグラフ画像の横軸は時間を示す軸である。図４に示す例では、制御部２４が作成するグラフ画像の横軸は、５月２９日０時から５月３０日０時までの１日分の時間を示すものである。この時間軸は、入力検出部２０がユーザによる操作を検出することによりスケールを変更することが可能である。
【００５５】
制御部２４が作成するグラフ画像の縦軸は電力量を示す軸である。図４に示す例では、制御部２４は、ｋＷｈ（キロワット時）を単位とする縦軸を作成している。縦軸の単位はｋＷｈに限るものではなく、ｋＷ（キロワット）を単位とするものであってもよい。例えば、制御部２４は、時間範囲が長い場合はｋＷｈを単位とする縦軸を作成し、時間範囲が短い場合はｋＷを単位とする縦軸を作成する。すなわち、時間範囲が長い場合には時間ごとの積算値を示し、時間範囲が短い場合には各時間における瞬時値を示す。これにより、制御部２４は、作成したグラフ画像の視認性を向上させることができる。
【００５６】
制御部２４は、図４に示す例では、縦軸の左側に凡例を作成し、横軸の下側に「高消費」、「ユーザ指定」および「編集」の３つのボタンを作成する。「高消費」、「ユーザ指定」または「編集」のいずれかのボタンが選択された場合は、表示装置１１の入力検出部２０が当該選択を検出する。制御部２４は、ボタンが選択されたことの情報を表示装置１１から取得する。
【００５７】
制御部２４は、「高消費」ボタンが選択された場合、消費電力が上位５項目の消費電力遷移を示すグラフ画像を作成する。制御部２４は、「ユーザ指定」ボタンが選択された場合、ユーザ指定として予めユーザが指定した項目に消費電力が上位の項目を加え、合計５項目の消費電力遷移を示すグラフ画像を作成する。ここで、「ユーザ指定として指定された項目」とは、ユーザが、消費電力の大小に関わらず常時グラフを作成することを選択した項目のことを意味するものとする。
【００５８】
図４は、「高消費」ボタンが選択された場合に制御部２４が作成したグラフ画像の例である。図４の例では、５月３０日０時において、「クッキングヒータ」、「子供部屋」、「エアコン」、「冷蔵庫」および「リビング照明」の５つの項目が、消費電力が上位５つの項目であるため、制御部２４は、これらの項目の消費電力の履歴を示すグラフ画像を作成している。
【００５９】
また、制御部２４は、「高消費」ボタンが選択されていることを強調するため、例えば、図４に示すように「高消費」ボタンの背景の色を変更した画像を作成してもよい。
【００６０】
図５も、「高消費」ボタンが選択された場合に制御部２４が作成したグラフ画像の例である。ただし。図５に示す例は、５月３０日０時において、「洗面所」と「電子レンジ」が使用されている点が図４と異なる。図５の例においては、例えば、洗面所でドライヤが使用されている状態であって、なおかつ電子レンジが管理装置１２と消費電力についての情報を直接通信する機能を有しているようなケースを想定している。このように、「ドライヤ」および「電子レンジ」のような短期的に大きな電力を消費する負荷機器１８がグラフ画像作成時において使用されていると、これらの負荷機器１８に接続している項目が、消費電力が上位となってしまい、結果的に上位の５つの項目に含まれることになる可能性が高い。
【００６１】
しかしながら、「ドライヤ」および「電子レンジ」のような負荷機器１８は突発的かつ短期的に使用されるものであり、たとえ消費電力が大きくても必要な場合は使用せざるを得ないものであるため、消費電力が大きいという情報を得たとしても節電対策には結びつけにくい。また、図５の例では、「洗面所」および「電子レンジ」が上位５項目に含まれたため、「冷蔵庫」および「リビング照明」のグラフが作成されなくなったが、例えば「冷蔵庫」のように定常的に長時間、大きな電力消費を継続するような、いわば消費電力の監視対象とすることが有益である項目のグラフ画像が作成されなくなることは好ましくない。
【００６２】
図６は、図５に示した電力使用状況において、「ユーザ指定」ボタンが選択されている場合に制御部２４が作成したグラフ画像の例である。制御部２４は、「ユーザ指定」ボタンが選択された場合、ユーザ指定として指定された項目に消費電力が上位の項目を加えた５項目の消費電力を示すグラフ画像を作成する。図６は、ユーザ指定として４つの項目「クッキングヒータ」、「子供部屋」、「エアコン」および「冷蔵庫」が指定されている場合の例である。この場合、制御部２４は、「クッキングヒータ」、「子供部屋」、「エアコン」および「冷蔵庫」の項目については、消費電力量に関わらずグラフ画像を作成する。また、制御部２４は、ユーザ指定として指定された項目が４つであるため、消費電力が最上位の「洗面所」の項目を加えた５項目のグラフ画像を作成する。このように、ユーザ指定としてユーザが監視したい負荷機器１８を指定しておくと、ユーザは確実に所望の負荷機器１８の消費電力を確認することができる。図６の例では、図５ではグラフ画像が作成されなかった「冷蔵庫」の項目の消費電力のグラフ画像が作成されている。
【００６３】
ユーザは、「ユーザ指定」ボタンの横にある「編集」ボタンを選択することにより入力ウィンドウを立ち上げて、ユーザ指定として指定する項目を入力することができる。ユーザは、最大５つの項目をユーザ指定として指定することができる。ユーザがどの項目をユーザ指定として指定したかは、項目名のリストを表示し、その中からユーザがタッチして選択した項目を表示装置１１の表示部１９に表示し、その中からユーザがタッチして選択した項目を入力検出部２０が検出する。制御部２４は、ユーザ指定として指定された項目の情報を表示装置１１から受信部２３を介して取得する。
【００６４】
制御部２４は、図４〜６に示したような消費電力を示すグラフ画像を作成すると、当該グラフ画像を表示装置１１に送信して表示部１９に表示させる。
【００６５】
続いて、図７に示すフローチャートを参照しながら、管理装置１２の制御部２４が項目ごとの消費電力の履歴を示すグラフ画像を作成し表示装置１１に表示させる処理について説明する。
【００６６】
制御部２４は、入力検出部２０がユーザによる「高消費」または「ユーザ指定」のいずれかのボタンを選択する入力を検出したか否かを判定する（ステップＳ１０１）。ステップＳ１０１においてＮｏと判定した場合は、制御部２４は、ステップＳ１０１を繰り返す。
【００６７】
ステップＳ１０１においてＹｅｓと判定した場合は、制御部２４は、ユーザによって選択されたボタンが「高消費」と「ユーザ指定」のいずれであるかを判定する（ステップＳ１０２）。
【００６８】
ステップＳ１０２において「高消費」のボタンが選択されたと判定した場合は、制御部２４は、消費電力が上位５項目の消費電力のデータをデータベース２５から読み出す（ステップＳ１０３）。
【００６９】
制御部２４は、ステップＳ１０３で読み出したデータを用いて、消費電力が上位５項目の消費電力を示すグラフ画像を作成する（ステップＳ１０４）。
【００７０】
ステップＳ１０２において「ユーザ指定」のボタンが選択されたと判定した場合は、制御部２４は、ユーザ指定として指定された項目数が５つ未満であるか否かを判定する（ステップＳ１０５）。
【００７１】
ステップＳ１０５においてＮｏと判定した場合は、ユーザ指定として指定された項目数が５つであるため、制御部２４は、ユーザ指定として指定された項目の消費電力のデータのみをデータベース２５から読み出す（ステップＳ１０６）。
【００７２】
制御部２４は、ステップＳ１０６で読み出したデータを用いて、ユーザ指定として指定された項目の消費電力を示すグラフ画像を作成する（ステップＳ１０７）。
【００７３】
ステップＳ１０５においてＹｅｓと判定した場合は、制御部２４は、ユーザ指定として指定された項目に消費電力が上位の項目を加えた５項目の消費電力のデータをデータベース２５から読み出す（ステップＳ１０８）。
【００７４】
制御部２４は、ステップＳ１０８で読み出したデータを用いて、ユーザ指定として指定された項目に消費電力が上位の項目を加えた５項目の消費電力を示すグラフ画像を作成する（ステップＳ１０９）。
【００７５】
制御部２４は、ステップＳ１０４、ステップＳ１０７またはステップＳ１０９において作成したグラフ画像を表示装置１１に送信し、表示部１９に表示させる（ステップＳ１１０）。
【００７６】
このように第１の実施形態の管理装置１２によれば、単純に消費電力が上位５つの項目を表示するのではなく、ユーザが指定した項目については常時表示することができる。これにより、ドライヤや電子レンジなどのような短期的に大きな電力を消費する負荷機器１８を使用している場合であっても、確実にユーザが監視したい項目の消費電力を表示させることができる。
【００７７】
また、第１の実施形態の管理装置１２は、全ての項目のグラフを表示するのではなく所定数（例えば５つ）のグラフを表示する。これにより、多数のグラフが表示されて視認性が低下することを抑制することができる。
【００７８】
次に、本発明の第２の実施形態を説明する。第２の実施形態ではグラフ画像の作成を表示装置が行う点において第１の実施形態と異なっている。以下に、第１の実施形態と異なる点を中心に第２の実施形態について説明する。なお、第１の実施形態と同じ機能および構成を有する部位には同じ符号を付す。
【００７９】
図８に示すように、第２の実施形態における電力制御システム１００は、表示装置１１０、管理装置１２０、スマートメータ１３、パワーコンディショナ１４、太陽光発電システム１５、および蓄電部１６を含んで構成される。スマートメータ１３、パワーコンディショナ１４、太陽光発電システム１５、および蓄電部１６の構成および機能は、第１の実施形態と同じである。
【００８０】
図９に示すように、表示装置１１０は、表示部１９、入力検出部２０、制御部２１０、およびインターフェース２２を含んで構成される。表示部１９、入力検出部２０、およびインターフェース２２の機能および構成は第１の実施形態と同じである。
【００８１】
第１の実施形態と同様に、制御部２１０は表示装置１１０を構成する各機能部を制御する。第１の実施形態と異なり、制御部２１０はグラフ画像を作成する。グラフ画像を作成するために、入力検出部２０が入力を検出すると、制御部２１０は必要な電力の情報を管理装置１２０に要求する。制御部２１０は要求した電力の情報を取得し、グラフ画像を作成する。制御部２１０は、作成したグラフ画像を表示部１９に表示させる。
【００８２】
図１０に示すように、管理装置１２０は、受信部２３および制御部２４０を含んで構成される。受信部２３の構成および機能は第１の実施形態と同じである。
【００８３】
第１の実施形態と同様に、制御部２４０は電力制御システム１００における各機器の電力を制御する制御信号および／表示装置１１０に通知する情報を生成する。また、第１の実施形態と同様に、制御部２４０は、電力制御システム１００における各機器の電力を管理するために、受信部２３が取得する情報を蓄積する。また、第１の実施形態と同様に、制御部２４０はデータベース２５を有している。また、第１の実施形態と同様に、制御部２４０は瞬時値に基づいて、電力の積算値を算出する。
【００８４】
第１の実施形態と異なり、制御部２４０は、グラフ画像の作成を行わない。上述のように、表示装置１１０の制御部２１０が電力の情報を要求するときに、グラフ画像を作成することなく当該情報を制御部２１０に通知する。すなわち、第１の実施形態においては制御部２４にて作成した画像を表示装置１１側のブラウザで閲覧するケース、第２の実施形態においては制御部２４０にて収集した消費電力の数値データを表示装置１１０が取得し、表示装置１１０側のアプリケーションにより画像を描画する、といったケースを例として想定している。
【００８５】
続いて、図１１に示すフローチャートを参照しながら、表示装置１１０の制御部２１０が項目ごとの消費電力の履歴を示すグラフ画像を作成し表示部１９に表示させる処理について説明する。
【００８６】
制御部２１０は、入力検出部２０がユーザによる「高消費」または「ユーザ指定」のいずれかのボタンを選択する入力を検出したか否かを判定する（ステップＳ２０１）。ステップＳ２０１においてＮｏと判定した場合は、制御部２１０は、ステップＳ２０１を繰り返す。
【００８７】
ステップＳ２０１においてＹｅｓと判定した場合は、制御部２１０は、ユーザによって選択されたボタンが「高消費」と「ユーザ指定」のいずれであるかを判定する（ステップＳ２０２）。
【００８８】
ステップＳ２０２において「高消費」のボタンが選択されたと判定した場合は、制御部２１０は、消費電力が上位５項目の消費電力のデータを管理装置１２０に要求する（ステップＳ２０３）。
【００８９】
制御部２１０は、ステップＳ２０３で要求したデータを用いて、消費電力が上位５項目の消費電力を示すグラフ画像を作成する（ステップＳ２０４）。
【００９０】
ステップＳ２０２において「ユーザ指定」のボタンが選択されたと判定した場合は、制御部２１０は、ユーザ指定として指定された項目数が５つ未満であるか否かを判定する（ステップＳ２０５）。
【００９１】
ステップＳ２０５においてＮｏと判定した場合は、ユーザ指定として指定された項目数が５つであるため、制御部２１０は、ユーザ指定として指定された項目の消費電力のデータのみを管理装置１２０に要求する（ステップＳ２０６）。
【００９２】
制御部２１０は、ステップＳ２０６で要求したデータを用いて、ユーザ指定として指定された項目の消費電力を示すグラフ画像を作成する（ステップＳ２０７）。
【００９３】
ステップＳ２０５においてＹｅｓと判定した場合は、制御部２１０は、ユーザ指定として指定された項目に消費電力が上位の項目を加えた５項目の消費電力のデータを管理装置１２０に要求する（ステップＳ２０８）。
【００９４】
制御部２１０は、ステップＳ２０８で要求したデータを用いて、ユーザ指定として指定された項目に消費電力が上位の項目を加えた５項目の消費電力を示すグラフ画像を作成する（ステップＳ２０９）。
【００９５】
制御部２１０は、ステップＳ２０４、ステップＳ２０７またはステップＳ２０９において作成したグラフ画像を表示部１９に表示させる（ステップＳ２１０）。
【００９６】
このように第２の実施形態の表示装置１１０によっても、単純に消費電力が上位５つの項目を表示するのではなく、ユーザが指定した項目については常時表示することができる。これにより、ドライヤや電子レンジなどのような短期的に大きな電力を消費する負荷機器を使用している場合であっても、確実にユーザが監視したい項目の消費電力を表示させることができる。
【００９７】
また、第２の実施形態の表示装置１１０によっても、全ての項目のグラフを表示するのではなく所定数（例えば５つ）のグラフを表示する。これにより、多数のグラフが表示されて視認性が低下することを抑制することができる。
【００９８】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００９９】
例えば、第１の実施形態および第２の実施形態において、５つの項目についての消費電力の履歴を示すグラフ画像を作成する場合を例に挙げて説明したが、これは、画像を作成する項目の数を５つに限定するものではない。グラフ画像を作成する項目の数は、項目の総数や画像を表示する表示部１９の大きさなどに応じて、所定の数とすることができる。また、項目ごとに「名称」を対応づけるとしたが、名称に限定されるものではなく、アイコン画像の様な一義的に特定される識別情報であれば良い。
【０１００】
また、第１の実施形態および第２の実施形態において、入力検出部２０はタッチパネルであるが、専用のコントローラ、キーボード、マウスなど、各種の入力装置を採用してもよい。このような入力装置を採用する場合、入力検出部２０は、表示部１９に表示したアイコンのオブジェクトなどの箇所までカーソルまたはポインタなどを移動させる入力を検出可能である。また、入力検出部２０は、このようなオブジェクトなどの表示に対応する入力、すなわちオブジェクトなどを選択する入力を検出可能である。
【符号の説明】
【０１０１】
１０、１００  電力制御システム
１１、１１０  表示装置
１２、１２０  管理装置
１３  スマートメータ
１４  パワーコンディショナ
１５  太陽光発電システム
１６  蓄電部
１７  分電盤
１８  負荷機器
１９  表示部
２０  入力検出部
２１、２１０  制御部
２２  インターフェース
２３  受信部
２４、２４０  制御部
２５  データベース
５０  商用電源
６０  系統ＥＭＳ
６１  データベース
７０  ネットワーク
【図１】
2014023219.tif 000003
【図２】
2014023219.tif 000004
【図３】
2014023219.tif 000005
【図４】
2014023219.tif 000006
【図５】
2014023219.tif 000007
【図６】
2014023219.tif 000008
【図７】
2014023219.tif 000009
【図８】
2014023219.tif 000010
【図９】
2014023219.tif 000011
【図１０】
2014023219.tif 000012
【図１１】
2014023219.tif 000013